(57)【要約】【課題】貼着したり紙などに漉き込んでも問題のない薄さであり、紫外光による回折光のみを射出させることで、より高い偽造防止効果を実現し得る表示体を提供することを目的とする。【解決手段】本発明の表示体１０は、一次元的又は二次元的に配列した複数の凹部又は凸部が１５０ｎｍ乃至２００ｎｍの中心間距離で設けられている界面部を一方の主面が含んだ光透過層と、前記界面部の少なくとも一部を被覆した無機薄膜層とを具備し、紫外光を回折することを特徴とする。【選択図】図２
2010286579.tif 000002
【特許請求の範囲】
【請求項１】
一次元的又は二次元的に配列した複数の凹部又は凸部が１５０ｎｍ乃至２００ｎｍの中心間距離で設けられている界面部を一方の主面が含んだ光透過層と、前記光透過層の界面部の少なくとも一部を被覆した無機薄膜層とを具備する表示体であって、前記一次元的又は二次元的に配列した複数の凹部又は凸部が紫外光を回折することを特徴とする表示体。
【請求項２】
前記無機薄膜層は、金属からなることを特徴とする請求項１に記載の表示体。
【請求項３】
前記無機薄膜層は、金属化合物からなることを特徴とする請求項１に記載の表示体
【請求項４】
請求項１乃至３の何れか１項に記載の表示体と、前記表示体上に設けられた粘着層とを具備したことを特徴とする粘着ラベル。
【請求項５】
請求項１乃至３の何れか１項に記載の表示体と、前記表示体を剥離可能に支持した支持体層とを具備したことを特徴とする転写箔。
【請求項６】
請求項１乃至３の何れか１項に記載の表示体と、これを支持した物品とを具備したことを特徴とするラベル付き物品。
【発明の詳細な説明】
【技術分野】
【０００１】
本発明は、例えば偽造防止効果を提供する表示技術に関する。
【背景技術】
【０００２】
キャッシュカード、クレジットカード及びパスポートなどの認証物品並びに商品券及び株券などの有価証券には、偽造が困難であることが望まれる。そのため、従来から、そのような物品には、その偽造を抑止すべく、偽造又は模造が困難であると共に、偽造品や模造品との区別が容易なラベルが貼り付けられている。そのようなラベルは、例えば、特許文献１に記載されている。
【０００３】
また、近年では、認証物品及び有価証券以外の物品についても、偽造品の流通が問題視されている。そのため、このような物品に、認証物品及び有価証券に関して上述した偽造防止技術を適用する機会が増えている。
【０００４】
ところで、偽造防止用のラベルとして使用する表示体の多くには、偽造防止技術が適用されていることが観察者によって比較的悟られ易いという問題がある。偽造防止技術の適用が悟られると、表示体が不正に複製又は変造される可能性が高くなる。即ち、優れた偽造防止効果を達成できない。なお、ここでは、偽造又は模造が困難であること、偽造品や模造品との区別が容易であることを偽造防止効果と呼ぶ。
【０００５】
このような問題を解決するために、赤外光あるいは紫外光を回折するピッチの干渉縞が記録されたホログラムが提案されている。（非特許文献１）  
しかしながら、非特許文献１で提案されているものはリップマンホログラムであるため、表示体自体が厚くなってしまう。そしてこれを粘着ラベルにした場合、厚みによってその存在を認識することができ、偽造防止技術が施されていることが悟られやすい。またその厚みのために、紙などに漉き込むことは困難である。
【先行技術文献】
【特許文献】
【０００６】
【特許文献１】特開２００５−９１６９９号公報
【特許文献２】特開平０６−１１０３８２号公報
【発明の概要】
【発明が解決しようとする課題】
【０００７】
本発明はこのような事情に基づいてなされたもので、貼着したり紙などに漉き込んでも問題のない薄さであり、紫外光による回折光のみを射出させることで、より高い偽造防止効果を実現し得る表示体を提供することを目的とする。
【課題を解決するための手段】
【０００８】
本発明の請求項１に記載の発明は、一次元的又は二次元的に配列した複数の凹部又は凸部が１５０ｎｍ乃至２００ｎｍの中心間距離で設けられている界面部を一方の主面が含んだ光透過層と、前記光透過層の界面部の少なくとも一部を被覆した無機薄膜層とを具備する表示体であって、前記一次元的又は二次元的に配列した複数の凹部又は凸部が紫外光を回折することを特徴とする表示体である。
【０００９】
本発明の請求項２に記載の発明は、前記無機薄膜層が金属からなることを特徴とする請求項１に記載の表示体である。
【００１０】
本発明の請求項３に記載の発明は、前記無機薄膜層が金属化合物からなることを特徴とする請求項１に記載の表示体である。
【００１１】
本発明の請求項４に記載の発明は、請求項１乃至３の何れか１項に記載の表示体と、前記表示体上に設けられた粘着層とを具備したことを特徴とする粘着ラベルである。
【００１２】
本発明の請求項５に記載の発明は、請求項１乃至３の何れか１項に記載の表示体と、前記表示体を剥離可能に支持した支持体層とを具備したことを特徴とする転写箔である。
【００１３】
本発明の請求項６に記載の発明は、  請求項１乃至３の何れか１項に記載の表示体とこれを支持した物品とを具備したことを特徴とするラベル付き物品である。
【００１４】
本発明の請求項７に記載の発明は、判別対象物を真正品と非真正品との間で判別するための判別装置であって、紫外光を放射する光源と、検出器と、前記判別対象物の判別情報を出力する出力部とを具備し、前記判別対象物から射出される紫外光の回折光の像を観察できるようにした認証装置である。
【発明の効果】
【００１５】
本発明によると、可視光を用いる従来の表示体と比較してより高い偽造防止効果を実現することが可能となった。また、リップマンホログラムと比較して厚みの薄い表示体を提供することができた。
【図面の簡単な説明】
【００１６】
【図１】本発明の一態様に係る表示体を概略的に示す平面図。
【図２】図１に示す表示体のＩＩ−ＩＩ線に沿った断面図。
【図３】図１及び図２に示す表示体の凹凸構造領域に採用可能な構造の一例を拡大して示す斜視図。
【図４】図１及び図２に示す光学素子の凹凸構造領域に採用可能な構造の他の例を拡大して示す斜視図。
【図５】凹凸構造領域が回折光を射出する様子を概略的に示す図。
【図６】本発明の一態様に係る粘着ラベルを概略的に示す断面図。
【図７】ラベル付き物品の一例を概略的に示す平面図。
【図８】図７に示す表示体のＩＩＩ−ＩＩＩ線に沿った断面図。
【図９】ラベル付き物品のほかの一例を概略的に示す平面図。
【図１０】真正さが不明な物品を真正品と非真正品との間で判別するための判別装置の一例を示す概略図。
【発明を実施するための形態】
【００１７】
以下、本発明の態様について、図面を参照しながら詳細に説明する。なお、各図において、同様又は類似した機能を発揮する構成要素には同一の参照符号を付し、重複する説明は省略する。
【００１８】
図１は、本発明の一態様に関わる表示体を概略的に示す平面図である。図２は、図１に示す表示体のＩＩ−ＩＩ線に沿った断面図である。なお、図１に記載の表示体１０では光透過層１１側から観察した様子を示している
【００１９】
この表示体１０は、光透過層１１と、無機薄膜層１３との積層体を含んでいる。図２に示す例では、光透過層１１の一方の主面には、凹凸構造領域１２ａと非凹凸構造領域１２ｂとを含んでいる。後述するように、凹凸構造領域１２ａは、複数の凹部又は凸部が設けられている。これら複数の凹部又は凸部は、紫外光が照射されると、特定方向に回折光を射出する。また、非構造領域１２ｂは、平坦面である。
さらに、凹凸構造領域１２ａを備える光透過層１１の主面に、凹凸構造領域１２ａの少なくとも一部を被覆するように無機薄膜層１３が形成されている。以下、光透過層１１側を「前面」、無機薄膜層１３側を「背面」と記す。
【００２０】
次に、凹凸構造領域１２ａに採用可能な構造について説明する。先に述べた通り、凹凸構造領域１２ａには、複数の凹部または凸部が設けられている。
なお、先に述べた通り、非凹凸構造領域１２ｂは、平坦面である。また、非凹凸構造領域１２ｂは、省略することができる。
【００２１】
また、用語「無機薄膜層」は、金属もしくは金属化合物からなる層を意味するものとする。表示体１０の凹凸構造領域に色をつけたい場合は無機薄膜層として金属を用い、表示体１０を透明なまま使用したい場合は無機薄膜層として金属化合物を使用する。
【００２２】
図３は、図１及び図２に示す表示体１０の凹凸構造領域１２ａに採用可能な構造の一例を拡大して示す斜視図である。図３に示す例では、凹部または凸部ＲＰは、二次元的に配列している。
凹凸構造領域１２ａに配列される凹部または凸部ＲＰは、中心間距離が１５０ｎｍ乃至２００ｎｍの範囲内で規則的に配列されている。そのため、後に詳しく説明するように、凹凸構造領域１２ａは、紫外光を照射した際に特定の方向及び角度にのみ回折光を射出することができる。
【００２３】
複数の凹部または凸部ＲＰの配列は、例えば、正方格子、矩形格子または三角格子をなしている。これら凹部または凸部ＲＰの配列を制御することにより、凹凸構造領域１２ａから射出される回折光の射出角度及び射出方向などを任意に調整することができる。図３には、一例として、複数の凸部が互いに直行するＸ方向及びＹ方向に二次元的に配列して正方格子をなしている場合を描いている。
【００２４】
また、凹部または凸部ＲＰの各々は、種々の形状でありうる。
凹部または凸部ＲＰの各々は、角錐、円錐および半紡錘形状などの順テーパ形状を有していることが好ましい。順テーパ形状を有していることにより、凹凸構造領域１２ａを法線方向から観察した場合に、凹凸構造領域１２ａの正反射光の反射率をより小さくすることができる。
【００２５】
図４は、図１及び図２に示す表示体の凹凸構造領域１２ａに採用可能な構造のほかの例を拡大して示す斜視図である。図４に示す例では、凹部又は凸部ＲＰは、複数の溝が一次元的に配列したレリーフ型回折格子である。
この場合には、これら複数の溝の格子定数、方位、及び深さなどを制御することにより、凹凸構造領域１２ａから射出される回折光の射出角及び射出方向などを任意に調整することができる。
【００２６】
凹部または凸部ＲＰは、１５０ｎｍ乃至２００ｎｍの中心間距離で配置されている。この場合、後述するように、凹凸構造領域１２ａから射出される回折光を検出することによる真正品と非真正品との判別が比較的容易となる。
【００２７】
また、凹部または凸部ＲＰの深さ又は高さは、光散乱を抑制するため、ほぼ一定とする。凹部または凸部ＲＰの深さ又は高さは、典型的には５０ｎｍ以上とする。
【００２８】
凹部または凸部ＲＰは、例えば、微細な凸部又は凹部を設けた金型を樹脂に押し付けることにより形成することができる。例えば、凹部又は凸部ＲＰは、基材上に設けられた熱可塑性樹脂層に、凸部または凹部が設けられた原版を、熱を印加しながら押し当てる方法、すなわち、熱エンボス加工法により得られる。或いは、凹部または凸部ＲＰは、基材上に紫外線硬化樹脂を塗布し、これに原版を押し当てながら基材側から紫外線を照射して紫外線硬化樹脂を硬化させ、その後、原版を取り除く方法により形成することも可能である。
【００２９】
この原版は、例えば、電子線描画装置を用いて製造する。なお、通常は、原版の凹凸構造を転写して反転版を製造し、この反転版の凹凸構造を転写して複製版を製造する。そして、必要に応じ、複製版を原版として用いて反転版の製造と、この反転版の凹凸構造を転写して複製版を更に製造する。実際の製造では、通常、このようにして得られる複製版を使用する。
【００３０】
上記のような方法で凹凸構造を得ることで、表示体１０は典型的には５０μｍ以下の薄さにすることが可能である。
【００３１】
光透過層１１の材料としては、例えば透明材料を使用することができる。
例えば、先の熱可塑性樹脂又は紫外線硬化樹脂として、アクリル系樹脂、ポリカーボネート系樹脂、スチレン系樹脂、アクリル／スチレン共重合体系樹脂を使用することができる。或いは、珪酸塩を含んだ無機材料を使用してもよい
【００３２】
無機薄膜層１３は、光透過層１１の凹構造及び／または凸構造が設けられた主面の全体又は一部を被覆している。無機薄膜層１３は金属から成る、もしくは、金属化合物からなる層である。
【００３３】
金属からなる無機薄膜層１３としては、例えば、アルミニウム、銀、金、白金、鉄、クロム、亜鉛及びそれらの合金などの金属材料からなる層を使用することができる。なお、上記括弧内の数字は各金属材料の屈折率を示すものである。
【００３４】
金属からなる無機薄膜層１３は、例えば気相堆積法により形成することができる。例えば、蒸着又はスパッタリングにより形成することができる。
なお、反射層１３を凹凸構造領域１２ａの一部のみに被覆させることにより、全体に被覆させた場合とは異なる意匠性を付与することができる。
【００３５】
金属化合物からなる無機薄膜層１３としては、例えば、合金、酸化チタン及びアルミナなどの金属酸化物、硫化亜鉛などの金属硫化物、又は金属窒化物を使用することができる。
【００３６】
金属化合物からなる無機薄膜層１３は、例えば、上記無機物の蒸着により形成することができる。例えば、真空蒸着法、スパッタリング法又はイオンブレーティング法を使用することができる。
【００３７】
表示体１０は、無機薄膜層１３を金属からなる層として、その全面を白色光で照明した場合、例えば、以下に説明する画像を表示する。
【００３８】
凹凸構造領域１２ａにおいては、光透過層１１と金属からなる無機薄膜層１３の界面は二次元的に配列した微細な凹部または凸部ＲＰを含んでいる。そのため、凹凸構造領域１２ａに入射した光の多くは、光透過層１１と金属からなる無機薄膜層１３の界面で複数回反射される。その結果、入射光の多くは吸収され、凹凸構造領域１２ａでは、表示面に垂直な方向に反射光を射出しないか又は弱い反射光を射出する。
【００３９】
そして、凹部または凸部ＲＰの中心間距離は、１５０ｎｍ乃至２００ｎｍの範囲内であるため、表示面に垂直な方向に回折光が射出されることはない。したがって、凹凸構造領域１２ａでは、着色して表示される。非凹凸構造領域１２ｂでは、光透過層１１と金属からなる無機薄膜層１３の界面は平坦である。それゆえ、正反射光を観察可能な場合には、非凹凸構造領域１２ｂは光源色である白色を表示する。
【００４０】
したがって、表示面に垂直な方向から観察した場合、表示体１０は、無機薄膜層１３を金属からなる層とした場合、凹凸構造領域１２ａが着色インキを用いて形成した印刷パターンのごとく見え、非凹凸構造領域１２ｂが白色に見える。
【００４１】
また、表示体１０は、無機薄膜層１３を金属化合物からなる層として、その全面を白色光で照明した場合、透明又はほぼ透明である。
【００４２】
凹凸構造領域１２ａにおいては、光透過層１１と金属化合物からなる無機薄膜層１３の界面は、１５０ｎｍ乃至２００ｎｍの中心間距離で規則的に配列されている。そのため、凹凸構造領域１２ａは、紫外光を照射した時にのみ回折光を射出し、それ以外では回折光を射出しない。したがって、上記の回折光が検出されない条件下では、凹凸構造領域１２ａは、光透過層１１と金属化合物からなる無機薄膜層１３の界面が平坦面である非凹凸構造領域とほぼ同様に観察される。すなわち、この条件下では、凹凸構造領域１２ａと非凹凸構造領域１２ｂを互いから区別することは困難である。よって、この条件下では、表示体１０は、透明な保護層等の偽造防止以外の目的で設けられていること、すなわち、表示体１０に偽造防止技術が適用されていることは悟られ難い。
【００４３】
なお、表示体１０は、印刷層を更に含んでいても良い。無機薄膜層１３が金属からなる層である場合、当該印刷層は、例えば、光透過層１１の前面側に形成する。無機薄膜層１３が金属化合物からなる層である場合、当該印刷層は、例えば、光透過層１１の前面側、光透過層１１と金属化合物からなる無機薄膜層１３との間、又は金属化合物からなる無機薄膜層１３の背面側に形成する。
【００４４】
これらの場合、表示体１０は、上述した回折光が検出されない条件下では、通常の印刷物と同様に見える。したがって、表示体１０に印刷層を設けることにより、表示体１０に偽造防止技術が適用されていることを、より悟られ難くすることが可能となる。
【００４５】
また、表示体１０は、透明のホログラム層を更に含んでいても良い。無機薄膜層１３が金属からなる層で或る場合、当該透明ホログラム層は、例えば、光透過層１１の前面側に形成する。無機薄膜層１３が金属化合物からなる層で或る場合、当該透明ホログラム層は、例えば、光透過層１１の前面側、光透過層１１と金属化合物からなる無機薄膜層１３との間、又は金属化合物からなる無機薄膜層の背面側に形成する。
【００４６】
また、表示体１０は、蒸着が施されたホログラム層を更に含んでいても良い。この場合、無機薄膜層１３は金属化合物からなる層であり、当該蒸着ホログラム層は、金属化合物からなる無機薄膜層の背面側に形成する。
【００４７】
これらの場合、表示体１０は、その前面を白色光で照射した条件下では、ある特定の方向及び角度でホログラムの回折光を射出するため、通常のホログラムと同様に見える。したがって、表示体１０にホログラム層を設けることにより、表示体１０にホログラム以外の偽造防止技術が適用されていることを悟られ難くすることが可能となる。
【００４８】
次に、凹凸構造領域１２ａに起因した表示体１０の視覚効果について、さらに説明する。
【００４９】
図５は、凹凸構造領域１２ａが回折光を射出する様子を概略的に示す図である。図５において、Ｌ１は照明光を示し、Ｌ２は正反射光又は０次回折光を示し、Ｌ３は一次回折光を示している。
【００５０】
凹凸構造領域１２ａでは、凹部又は凸部ＲＰが規則的に配列している。そのため、凹凸構造領域１２ａを照射すると、入射光である照明光の進行方向に対して特定の方向に強い回折光が射出される。
【００５１】
もっとも代表的な回折光は、一次回折光である。２次以上の高次の回折光は、一次回折光と比較して強度が著しく小さい。そのため、高次の回折光が検出に与える影響は、無視できる程度に軽微である。
【００５２】
一次回折光の射出角βは、凹凸構造領域１２ａの法線Ｎに平行な面内で光が進行する場合、数式１から算出することができる。
この数式１において、ｄは凹部又は凸部ＲＰの中心間距離を表し、λは入射光及び回折光の波長を表している。また、αは、０次回折光、すなわち透過光または正反射光の射出角を表している。
【数１】
2010286579.tif 000003
【００５３】
角度α及びβは、法線Ｎから時計周りの方向を正方向として定める。そして、法線Ｎを基準として−９０°乃至０°の角度範囲を「負の角度範囲」と呼び、０゜乃至９０゜の角
度範囲を「正の角度範囲」と呼ぶ。また、射出角αは、正の角度範囲に属するとする。即
ち、０゜＜α＜９０゜であるとする。
【００５４】
数式１から明らかなように、１次回折光の射出角βは、波長λに応じて変化する。また、数式から分かるように、中心間距離ｄを入射光の波長λより小さくすると、任意の入射角−αに対して、射出角βを負の値とすることができる。すなわちこの場合、入射光Ｌ１が負の角度範囲に属するときには、一次回折光Ｌ３も負の角度範囲に属する。
【００５５】
本発明の表示体１０は、紫外光の下で検出するものであり、「紫外光」とは、波長約３００ｎｍから３８０ｎｍの波長を有する近紫外光を指すものとする。
【００５６】
上で規定する「紫外光」について、例えば波長３００ｎｍにピークを持つ紫外光で表示体１０を照射した場合、凹凸構造領域１２ａの凹部又は凸部の中心間距離が１５３ｎｍ以上とすることで回折光が射出される。これは数式１から明らかである。
また、上記「紫外光」が波長３８０ｎｍにピークを持つ紫外光である場合、表示体１０の凹凸構造領域１２ａの凹部又は凸部の中心間距離が２０３ｎｍ以下であれば、表示体１０に可視光域の光が入射しても回折光が射出されることはなく、紫外光に対してのみ回折光が射出される。それゆえ、表示体１０の凹凸構造領域１２ａの凹部又は凸部の中心間距離は１５０ｎｍ乃至２００ｎｍの範囲内とする。
【００５７】
このように、表示体１０の凹凸構造領域１２ａは、凹部又は凸部の中心間距離が１５０ｎｍ乃至２００ｎｍの範囲内にあるため、法線方向から観察した際、無機薄膜層が金属からなる層である場合は、着色インキを用いて形成した印刷パターンの如く見え、無機薄膜層が金属化合物からなる層である場合は、透明またはほぼ透明に見える。そして、或る斜め方向から紫外線を照射した場合には、回折光が検出される。
【００５８】
図６は、本発明の一態様に係る粘着ラベルを概略的に示す断面図である。
粘着ラベル２０は、表示体１０と、表示体１０上に設けられた接着層２１とを備えている。
図６には、一例として図２に示す表示体１００の背面上（無機薄膜層１３面上）に接着層２１が設けられている場合を示している。
【００５９】
接着層２１を設けると、無機薄膜層１３の表面が露出しないようにできる。そのため、表示体１０を粘着ラベル２０の一部として使用することにより、先の界面の凹部又は凸部の複製をより一層困難とすることができる。
なお、表示体１０において、光透過層１１側を背面側とし且つ無機薄膜層１３側を前面側とする場合、接着層２１は、光透過層１１上に形成する。
【００６０】
この粘着ラベル２０は、例えば、真正さが確認されるべき物品に貼り付けるか、或いは、そのような物品に取り付けられるべきタグの基材などの他の物品に貼り付ける。これにより、当該物品に偽造防止効果を付与することができる。
【００６１】
図７は、ラベル付き物品の一例として、印刷物３０の平面図を描いている。図８は、図７に示す表示体１０の断面図である。
この印刷物３０は、ＩＤ（ｉｄｅｎｔｉｆｉｃａｔｉｏｎ）カードであって、基材３１を含んでいる。基材３１は、例えば、プラスチックからなる。基材３１上には、印刷層４０が形成されている。基材３１の印刷層４０が形成された面には、上述した表示体１０が例えば粘着層を介して固定されている。表示体１０は、例えば、粘着ステッカとして又は転写箔として準備しておき、これを印刷層４０に貼り付けることにより、基材３１に固定する。
【００６２】
この印刷物３０は、上述した表示体１０を含んでいる。表示体１０は、本発明の一態様としてホログラム層を含んでいる。それゆえ、この印刷物３０を白色光で照射した場合、ホログラムからの回折光のみが視認される。また、この印刷物３０を紫外光で照射した場合、凹凸構造領域１２からの回折光によって秘匿の情報が検出される。
【００６３】
なお、図７には、表示体１０を含んだ印刷物としてＩＤカードを例示しているが、表示体１０を含んだ印刷物は、これに限られない。例えば、表示体１０を含んだ印刷物は、磁気カード、無線カード及びＩＣ（ｉｎｔｅｇｒａｔｅｄ  ｃｉｒｃｕｉｔ）カードなどの他のカードであっても良い。或いは、表示体１０を含んだ印刷物は、図９に示すような商品券及び株券などの有価証券であってもよい。或いは、表示体１０を含んだ印刷物は、真正品であることが確認されるべき物品に取り付けられるタグであってもよい。或いは、表示体１０を含んだ印刷物は、真正品であることが確認されるべき物品を収容する包装体又はその一部であってもよい。
【００６４】
また、図７に示す印刷物３０では、表示体１０を基材３１に貼り付けているが、表示体１０は、他の方法で基材に支持させることができる。例えば、基材として紙を使用した場合、表示体１０を紙に漉き込み、表示体１０に対応した位置で紙を開口させてもよい。或いは、基材として光透過性の材料を使用する場合、その内部に表示体１０を埋め込んでもよく、基材の裏面、すなわち表示面とは反対側の面に表示体１０を固定してもよい。
【００６５】
表示体１０は、偽造防止以外の目的で使用してもよい。例えば、表示体１０は、玩具、学習教材又は装飾品等としても利用することができる。
【００６６】
図１０は、真正さが不明な物品を真正品と非真正品との間で判別するための判別装置の一例を示す概略図である。
【００６７】
この判別装置４０は、図示しない支持台と、紫外光源４２と、遮光部４３と、検出器４４と、出力部４５とを含んでいる。なお、図１０には、真正さを判別すべき物品として、光学素子１０を含んだラベル付き物品４１を描いている。
【００６８】
支持台は、ラベル付き物品４１を所定の位置に固定する役割を担っている。ラベル付き物品４１の表示体１０の位置と紫外光源４２が放射する紫外光の照射位置との位置あわせを行なうための機構を更に備えていてもよい。この場合、真正品と非真正品との判別をより高い精度で行なうことができる。
【００６９】
紫外光源５１は、ラベル付き物品４１のうち、真正品であれば表示体１０が設けられているべき部分に紫外光を放射する役割を担っている。紫外光源４１としては、例えば、水銀ランプやメタルハライドランプのような紫外線照射装置や、ブラックライトを使用することができる。
【００７０】
検出器４４は、表示体１０から射出された回折光を検出する役割を担っている。すなわち、この検出器４４は、紫外光源４２からラベル付き物品４１に対して紫外光を照射した際に、回折光が検出されたか否かの情報を出力部４５に出力する役割を担っている。
【００７１】
検出器４４としては、例えば、高感度冷却ＣＣＤカメラを使用することができる。また、画素に蛍光材を塗布したＣＣＤカメラを使用してもよい。
【００７２】
遮光部４３は、紫外光源４２と検出器４４との間における光の漏れを遮る役割を担っている。遮光部４３を設けることにより、検出器４４におけるノイズが減少し、ラベル付き物品４１の真正さの判別精度が向上する。なお、遮光部４３は省略してもよい。
【００７３】
出力部４５は、検出器４４の出力に応じた判別情報を出力する役割を担っている。出力部４５は、例えば、検出器４４が表示体１０からの回折光を検出しなかった場合に、ラベル付き物品４１が非真正品であることを示す判別情報を出力する。或いは、検出器４４が表示体１０からの回折光を検出した場合に、ラベル付き物品４１が真正品であることを示す判別情報を出力する。この判別情報は、例えば、視覚的に、聴覚的に、又は振動等の触覚により、ユーザに伝達される。
【実施例】
【００７４】
＜例１：表示体Ｄ１の製造＞
以下のようにして、表示体１０を製造した。
まず、厚さが２５μｍであるポリエチレンテレフタレートフィルム（以下、ＰＥＴフィルム）上に、紫外線硬化樹脂を塗布した。
次いで、反面に複数の凸部が設けられた原版を先の塗膜に押し当てながら、ＰＥＴフィルム側から紫外線を照射して紫外線硬化樹脂を硬化させた。
その後、原版を取り除くことにより、複数の凹部構造のついた光透過層１１を得た。ここでは、凹部の深さは凹部の深さは４００ｎｍとし、凹部の中心間距離は２００ｎｍとした。
次に、光透過層１１の凹部構造側の主面に、真空蒸着法によりアルミニウムを堆積させて、無機薄膜層１３を形成した。この無機薄膜層の厚みは、約４０ｎｍとした。
【００７５】
以上のようにして、表示体１０を得た。以下、この表示体を「表示体Ｄ１」とする。
【００７６】
＜例２：表示体Ｄ２の製造＞
凹部の中心間距離を２００ｎｍとする代わりに、当該距離を１６０ｎｍとしたこと以外は表示体Ｄ１について述べたのと同様にして、表示体を製造した。以下、この表示体を「表示体Ｄ２」と呼ぶ
【００７７】
＜例３：表示体Ｄ３の製造＞
凹部の中心間距離を２００ｎｍとする代わりに、当該距離を２４０ｎｍとしたこと以外は表示体Ｄ１について述べたのと同様にして、表示体を製造した。以下、この表示体を「表示体Ｄ３」と呼ぶ
【００７８】
以上のようにして製造した表示体Ｄ１乃至Ｄ３について、法線Ｎに対して６０度の角度で紫外光源（３６５ｎｍにピークをもつもの）及び白色光源を照射し、回折光の検出を行なった。この結果を表１に示す。
【表１】
2010286579.tif 000004
【００７９】
表１に示すように、表示体Ｄ１に関しては紫外光の回折光は法線Ｎに対して７５度付近の角度で検出されたが、白色光源の照射による回折光は視認されなかった。また、Ｄ２に関しては、紫外光の回折光は検出されず、また、白色光源の照射による回折光も視認されなかった。さらに、Ｄ３に関しては、紫外光の回折光は法線Ｎに対して４０度の角度で検出されたが、白色光源の照射による回折光も視認された。
【符号の説明】
【００８０】
１０…表示体、１１…光透過層、１２ａ…凹凸構造領域、１２ｂ…非凹凸構造領域、１３…無機薄膜層、
Ｌ１…照明光、Ｌ２…正反射光又は０次回折光、Ｌ３…１次回折光、Ｎ…法線
２０…粘着ラベル、２１…接着層、２２…ホログラム層、２２ａ…ホログラム領域
３０…印刷物、３１…基材、３２…印刷層、３３…磁気記録層
４０…判別装置、４１…ラベル付き物品、４２…紫外光源、４３…遮光部、４４…検出器、４５…出力部
【図１】
2010286579.tif 000005
【図２】
2010286579.tif 000006
【図３】
2010286579.tif 000007
【図４】
2010286579.tif 000008
【図５】
2010286579.tif 000009
【図６】
2010286579.tif 000010
【図８】
2010286579.tif 000011
【図１０】
2010286579.tif 000012
【図７】
2010286579.tif 000013
【図９】
2010286579.tif 000014